(57)【特許請求の範囲】
【請求項１】
遊技盤装着枠に遊技盤の左右方向の一端側を挿入した後、他端側を押圧して前記遊技盤装着枠内に前記遊技盤を着脱自在に嵌合し、前記遊技盤装着枠の左右方向の他端側に設けられ且つ前記遊技盤の切り欠き部に対して嵌脱自在なロック手段により前記遊技盤を前記左右方向の一端側に押圧して前記遊技盤装着枠内で固定するようにした弾球遊技機において、前記ロック手段は前後方向の回動軸と、該回動軸に固定された操作つまみと、前記回動軸に固定され、且つ前記操作つまみをロック位置へと操作したときに前記切り欠き部の内周の被押圧面を前記左右方向の一端側へと押圧し前記操作つまみを着脱位置にしたときに押圧を解除する押圧部とを備え、前記操作つまみを前記着脱位置から前記ロック位置とは反対の押し出し位置へと操作したときに前記遊技盤の他端側を前記遊技盤装着枠から開放側へと押し出すカム機構を備え、該カム機構は前記切り欠き部内に設けられた押し出しカム部と、前記回動軸の外周に設けられ且つ前記操作つまみを前記押し出し位置へと操作したときに前記押し出しカム部を摺動して前記遊技盤を前記開放側へと押し出すカム従動部とを備え、前記ロック手段は前記操作つまみを前記着脱位置にしたときに前記切り欠き部に対して嵌脱自在であり、前記押し出し位置側で前記押し出しカム部、前記カム従動部間の外力を解除したときに前記操作つまみを前記着脱位置へと戻す戻し手段を備えたことを特徴とする弾球遊技機。
【請求項２】
遊技盤装着枠に遊技盤の左右方向の一端側を挿入した後、他端側を押圧して前記遊技盤装着枠内に前記遊技盤を着脱自在に嵌合し、前記遊技盤装着枠の左右方向の他端側に設けられ且つ前記遊技盤の切り欠き部に対して嵌脱自在なロック手段により前記遊技盤を前記左右方向の一端側に押圧して前記遊技盤装着枠内で固定するようにした弾球遊技機において、前記ロック手段は前後方向の回動軸と、該回動軸に固定された操作つまみと、前記回動軸に固定され、且つ前記操作つまみをロック位置へと操作したときに前記切り欠き部の内周の被押圧面を前記左右方向の一端側へと押圧し前記操作つまみを着脱位置にしたときに押圧を解除する押圧部とを備え、前記操作つまみを前記着脱位置から前記ロック位置とは反対の押し出し位置へと操作したときに前記遊技盤の他端側を前記遊技盤装着枠から開放側へと押し出すカム機構を備え、該カム機構は前記切り欠き部内に設けられたカム従動部と、前記回動軸の外周に設けられ且つ前記操作つまみを前記押し出し位置へと操作したときに前記カム従動部が摺動して前記遊技盤を前記開放側へと押し出す押し出しカム部とを備え、前記ロック手段は前記操作つまみを前記着脱位置にしたときに前記切り欠き部に対して嵌脱自在であり、前記押し出し位置側で前記押し出しカム部、前記カム従動部間の外力を解除したときに前記操作つまみを前記着脱位置へと戻す戻し手段を備えたことを特徴とする弾球遊技機。
【請求項３】
前記押し出しカム部は前記被押圧面と反対側で前記切り欠き部内に周方向に設けられ、前記カム従動部は前記押圧部の先端に設けられていることを特徴とする請求項１に記載の弾球遊技機。
【請求項４】
前記カム従動部は前記被押圧面と反対側で前記切り欠き部内に設けられた突起状であり、前記押し出しカム部は前記回動軸の外周に周方向に設けられていることを特徴とする請求項２に記載の弾球遊技機。
【発明の詳細な説明】
【技術分野】
【０００１】
本発明は、パチンコ機等の弾球遊技機に関し、遊技盤装着枠から遊技盤を取り外す際に、ロック手段の操作を利用して遊技盤装着枠内の遊技盤を開放側に押し出すようにしたものである。
【背景技術】
【０００２】
パチンコ機等の弾球遊技機では、矩形枠状の外枠と、この外枠に対して開閉自在に装着された前枠とを備え、この前枠の遊技盤装着枠に遊技盤が前側から着脱自在に嵌合され、遊技盤装着枠内で遊技盤がロック手段により固定されている（特許文献１参照）。
【０００３】
遊技盤装着枠は前面側が開放する矩形枠状であって、この遊技盤装着枠内の背壁部の右辺側の上下にロック手段が設けられている。各ロック手段は背壁部に前後方向に設けられた回動軸と、この回動軸の前端に固定された操作つまみとを有する。一方、遊技盤にはその右辺側の上下に、遊技盤の着脱時にロック手段の操作つまみが通過可能な切り欠き部が各ロック手段に対応して設けられている。
【０００４】
遊技盤を装着する場合には、遊技盤の左辺側を遊技盤装着枠の左側に嵌めた後、その左辺側を支点として遊技盤を遊技盤装着枠側へと回動させて遊技盤全体を遊技盤装着枠内に嵌め込み、次いで各ロック手段の操作つまみを操作して遊技盤装着枠内で遊技盤を固定する。
【０００５】
そして、遊技盤を遊技盤装着枠から取り外す場合には、各ロック手段による遊技盤の固定を解除した後、遊技盤の右辺側の上部等の適当箇所に指先を掛けて遊技盤の右辺側を遊技盤装着枠から引き出した後、遊技盤を遊技盤装着枠から抜き取る。
【特許文献１】特開２００５−１１８３５３号公報
【発明の開示】
【発明が解決しようとする課題】
【０００６】
従来の弾球遊技機では、遊技盤を遊技盤装着枠から取り外す場合の作業が非常に困難で時間を要する欠点がある。何故ならば、遊技盤は前面の遊技領域には液晶式の表示手段、入賞手段等の遊技部品が装着され、また表示手段、入賞手段等の遊技部品の一部が遊技盤の裏側に突出すると共に、それらの突出部分を覆う裏カバーが遊技盤の裏側に設けられ、しかもその裏カバー等に各種の制御基板が収納された基板ケースが装着されており、遊技盤側の重量が非常に大である上に、遊技盤が遊技盤装着枠に嵌合した状態では、遊技盤に指を掛ける隙間が少なく、構造的に遊技盤に指先を掛け難くなっている。
【０００７】
また近時の弾球遊技機では、遊技盤装着枠の右下隅の裏側に枠側ジョイント部を、遊技盤の右下隅の裏面に盤側ジョイント部を対向させて設け、遊技盤を遊技盤装着枠に嵌合させたときに、盤側ジョイント部と枠側ジョイント部とのコネクタ同士が電気的に接続するように構成したものがある。
【０００８】
このような接続方式を採用した弾球遊技機では、コネクタ同士の接続を容易且つ確実にする必要から、遊技盤装着枠内での遊技盤の遊び量を極僅かに抑えており、しかも遊技盤を遊技盤装着枠から取り外すときに、コネクタの摩擦抵抗に抗して遊技盤の右辺側を遊技盤装着枠から抜き取る必要があり、遊技盤の取り外しが益々困難になる傾向にある。
【０００９】
本発明は、このような従来の問題点に鑑み、遊技盤装着枠から遊技盤を取り外す際に、ロック手段の操作を利用して遊技盤装着枠内の遊技盤を開放側に押し出すことにより、遊技盤を遊技盤装着枠から容易に取り外すことができる弾球遊技機を提供することを目的とする。
【課題を解決するための手段】
【００１０】
本発明は、遊技盤装着枠に遊技盤の左右方向の一端側を挿入した後、他端側を押圧して前記遊技盤装着枠内に前記遊技盤を着脱自在に嵌合し、前記遊技盤装着枠の左右方向の他端側に設けられ且つ前記遊技盤の切り欠き部に対して嵌脱自在なロック手段により前記遊技盤を前記左右方向の一端側に押圧して前記遊技盤装着枠内で固定するようにした弾球遊技機において、前記ロック手段は前後方向の回動軸と、該回動軸に固定された操作つまみと、前記回動軸に固定され、且つ前記操作つまみをロック位置へと操作したときに前記切り欠き部の内周の被押圧面を前記左右方向の一端側へと押圧し前記操作つまみを着脱位置にしたときに押圧を解除する押圧部とを備え、前記操作つまみを前記着脱位置から前記ロック位置とは反対の押し出し位置へと操作したときに前記遊技盤の他端側を前記遊技盤装着枠から開放側へと押し出すカム機構を備え、該カム機構は前記切り欠き部内に設けられた押し出しカム部と、前記回動軸の外周に設けられ且つ前記操作つまみを前記押し出し位置へと操作したときに前記押し出しカム部を摺動して前記遊技盤を前記開放側へと押し出すカム従動部とを備え、前記ロック手段は前記操作つまみを前記着脱位置にしたときに前記切り欠き部に対して嵌脱自在であり、前記押し出し位置側で前記押し出しカム部、前記カム従動部間の外力を解除したときに前記操作つまみを前記着脱位置へと戻す戻し手段を備えたものである。
【００１１】
また別の本発明は、遊技盤装着枠に遊技盤の左右方向の一端側を挿入した後、他端側を押圧して前記遊技盤装着枠内に前記遊技盤を着脱自在に嵌合し、前記遊技盤装着枠の左右方向の他端側に設けられ且つ前記遊技盤の切り欠き部に対して嵌脱自在なロック手段により前記遊技盤を前記左右方向の一端側に押圧して前記遊技盤装着枠内で固定するようにした弾球遊技機において、前記ロック手段は前後方向の回動軸と、該回動軸に固定された操作つまみと、前記回動軸に固定され、且つ前記操作つまみをロック位置へと操作したときに前記切り欠き部の内周の被押圧面を前記左右方向の一端側へと押圧し前記操作つまみを着脱位置にしたときに押圧を解除する押圧部とを備え、前記操作つまみを前記着脱位置から前記ロック位置とは反対の押し出し位置へと操作したときに前記遊技盤の他端側を前記遊技盤装着枠から開放側へと押し出すカム機構を備え、該カム機構は前記切り欠き部内に設けられたカム従動部と、前記回動軸の外周に設けられ且つ前記操作つまみを前記押し出し位置へと操作したときに前記カム従動部が摺動して前記遊技盤を前記開放側へと押し出す押し出しカム部とを備え、前記ロック手段は前記操作つまみを前記着脱位置にしたときに前記切り欠き部に対して嵌脱自在であり、前記押し出し位置側で前記押し出しカム部、前記カム従動部間の外力を解除したときに前記操作つまみを前記着脱位置へと戻す戻し手段を備えたものである。
【発明の効果】
【００１４】
本発明によれば、遊技盤装着枠から遊技盤を取り外す際に、ロック手段を操作することにより、カム機構によって遊技盤装着枠内の遊技盤を開放側に押し出すことができ、遊技盤を遊技盤装着枠から容易に取り出すことができる。
【発明を実施するための最良の形態】
【００１５】
以下、本発明の実施形態を図面に基づいて詳述する。図１〜図９は本発明をパチンコ機に採用した第１の実施形態を例示している。図１において、１は遊技機本体で、矩形状の外枠２と、この外枠２の前側に開閉自在に枢着された前枠３とを備えている。
【００１６】
前枠３は合成樹脂製で、図２〜図５に示すように外枠２の前面側に当接する矩形枠部４と、この矩形枠部４内の下部に配置された下部装着部５と、矩形枠部４内の上部に配置された上部装着部６とを一体に備え、下部装着部５に発射手段７等が、上部装着部６に遊技盤装着枠８を介して遊技盤９が夫々配置されている。前枠３は矩形枠部４の左右一端側、例えば左側に設けられた上下方向のヒンジ１０により外枠２に開閉、着脱自在に枢支されている。
【００１７】
前枠３の前側には、図１に示すように、下部装着部５の前側に対応する前開閉板１１と、上部装着部６の前側に対応するガラス扉１２とがヒンジ１０と同じ側のヒンジ１３により開閉自在に枢支されている。前開閉板１１には、その前側に発射手段７に供給するための遊技球を貯留する供給皿１４、発射手段７を作動させるための発射ハンドル１５等が設けられている。
【００１８】
ガラス扉１２は前面に合成樹脂製の化粧カバー１６が装着された扉枠１７と、この扉枠１７に装着されたガラスユニット１８とを備え、ガラスユニット１８を介して遊技盤９の遊技領域を透視可能になっている。
【００１９】
下部装着部５は横長状であって、前側の左右方向の略中央に発射手段７が、その一側に下部スピーカ１９が夫々配置されている。発射手段７は下部装着部５に固定された板金製の支持板２０と、この支持板２０の前面に装着された発射レール２１と、支持板２０の前面で前後方向の駆動軸廻りに揺動自在に支持された打撃槌２２と、支持板２０の裏側に装着され且つ打撃槌２２を打撃方向に駆動するロータリソレノイド等の発射駆動手段２３等を備え、発射ハンドル１５を操作したときに発射駆動手段２３により打撃槌２２を打撃方向（時計廻り）に間欠的に駆動することにより、供給皿１４から発射レール２１上に供給された遊技球を発射レール２１に沿って打撃して遊技盤９側に発射させるようになっている。
【００２０】
上部装着部６は前枠３を閉じたときに外枠２の内側に嵌合する後ろ向き膨出状であって、この上部装着部６には前部側に遊技盤９を装着可能な遊技盤装着枠８が設けられ、後側に遊技盤９の後部側を略覆う後部ケース２４が設けられている。なお、上部装着部６の上部側には左右一対の上部スピーカ２５が着脱自在に装着されている。
【００２１】
遊技盤９は図２に示すように、その前面側には発射手段７からの遊技球を遊技領域２６の上部側へと案内する外レール２７、内レール２８等のガイドレールが遊技領域２６の外周に設けられ、また遊技領域２６内に液晶表示手段（画像表示手段）２９の他、通過ゲート３０、開閉式入賞手段３１、大入賞手段３２、普通入賞手段３３等の各種遊技部品が装着されている。外レール２７と内レール２８との下端間は、遊技盤９の下端の左右方向の一側で下方に開放しており、その開放部分が発射手段７からの遊技球を受け入れる球受け入れ口３４となっている。
【００２２】
遊技盤９の裏面側には、図６に示すように、液晶表示手段２９等の遊技部品を後側から覆う裏カバー３５と、この裏カバー３５の下側に配置された集球ケース３６と、この集球ケース３６の側方下部に配置された盤側ジョイント部３７とが装着されている。盤側ジョイント部３７は遊技盤装着枠８に対する遊技盤９の装着時に前枠３側の枠側ジョイント部３８（図４参照）との間で前枠３側と遊技盤９側との電気系統を一括して接続するためのもので、球受け入れ口３４と反対側の下部に配置されている。
【００２３】
集球ケース３６の背面には主制御基板３９が格納された主基板ケース４０が着脱自在に装着され、また裏カバー３５の背面側には演出制御基板４１が格納された演出基板ケース４２と、液晶制御基板４３が格納された液晶基板ケース４４とが夫々着脱自在に装着されている。
【００２４】
盤側ジョイント部３７は主制御基板３９の信号出力部に接続された盤側コネクタ４８、主制御基板３９の電源部に接続された盤側コネクタ４９、演出制御基板４１の演出信号出力部に接続された盤側コネクタ５０、演出制御基板４１、液晶制御基板４３の電源部に接続された盤側コネクタ５１等を備えている。各盤側コネクタ４８〜５１は横長状であって、上下方向に所定の間隔を置いて略平行に配置されている。
【００２５】
遊技盤装着枠８は図３〜図５に示すように、遊技盤９を上下、左右から取り囲む上下一対の横枠部５２及び左右一対の縦枠部５４と、この各横枠部５２及び縦枠部５４の後端側から内周へと突出して遊技盤９の裏面外周部が前側から当接する各一対の後壁部５６，５７とを備え、遊技盤９を前側から着脱自在に嵌合するように前側が開放する矩形状に構成されている。
【００２６】
遊技盤装着枠８内には、図３〜図５に示すように、遊技盤９の球受け入れ口３４に近い左側に係合突起６０と付勢手段６１とが上下方向に２個（複数個）設けられ、また反対側にロック手段６２が上下方向に２個（複数個）設けられている。
【００２７】
係合突起６０は遊技盤装着枠８に遊技盤９を装着するときに遊技盤９の球受け入れ口３４に近い左端縁を係合するためのもので、後壁部５７との間に遊技盤９の厚さ分の間隔をおいて左側の縦枠部５４に設けられている。各付勢手段６１は遊技盤装着枠８に遊技盤９を装着したときに、遊技盤９の前面端部が係合突起６０に当接すべく遊技盤９を裏側から押圧するためのもので、板バネ等の弾性体により構成されている。なお、付勢手段６１は後部ケース２４の周壁部２４ａの内側で後壁部５７から後方に凹入する取り付け部５９等の適当箇所に取り付けられている。
【００２８】
ロック手段６２は遊技盤装着枠８内の遊技盤９を固定するためのもので、遊技盤９を遊技盤装着枠８に嵌め込んだときに、遊技盤９の上下の凹入部５８に装着された固定部材６４の切り欠き部６３内に嵌合するように遊技盤装着枠８の後壁部５６から前側に突出している。またこのロック手段６２と遊技盤９との間には、ロック手段６２の操作により遊技盤装着枠８内の遊技盤９を開放側である前側へと押し出す押し出し手段６５が設けられている。
【００２９】
各ロック手段６２は、図３〜図５に上下のロック手段６２を示し、図７〜図９に上側のロック手段６２を示すように、遊技盤装着枠８の各横枠部５２の後壁部５６から前向きに突設された略前後方向の回動軸６６と、この回動軸６６の前端側に固定された操作つまみ６７と、回動軸６６の前後方向の中間部分に固定された押圧部６８とを一体に備えている。なお、操作つまみ６７は着脱位置にしたときに遊技盤９の切り欠き部６３内を通過可能である。
【００３０】
回動軸６６は後壁部５６を裏側に貫通して、その後端の偏平状等の支持部６９が後壁部５６の裏側の円筒状の保持部７０に嵌合され、保持部７０内で有底円筒状の押え部材７１により後方への移動が規制されており、操作つまみ６７が着脱位置ａから左右両側のロック位置ｂと押し出し位置ｃとの間で回動するように前後方向の軸心廻りに回動自在である。
【００３１】
押え部材７１は保持部７０に対して裏側から着脱可能に係合爪７２により係止されており、この押え部材７１と支持部６９との間に、操作つまみ６７を着脱位置ａとロック位置ｂとに位置決めする位置決め手段７３が設けられている。押え部材７１の裏側のリブ７１ａには、後部ケース２４の基板取り付け台等の裏部材７４から前側に突出する廻り止め部７５の前端が係合し、この廻り止め部７５により押え部材７１が前後方向の軸心廻りに回転しないようにしている。なお、後壁部５６には保持部７０内に開口７６が形成され、この開口７６を経て回動軸６６、操作つまみ６７及び押圧部６８が後壁部５６の前側へと挿脱自在に挿入されている。
【００３２】
押圧部６８は操作つまみ６７をロック位置ｂへとＸ矢示方向に回動操作したときに、ロック開始・解除位置ｄで遊技盤９の凹入部５８に形成された被押圧面７７の押圧を開始し、ロック位置ｂで遊技盤装着枠８内の遊技盤９をロックするようになっている。また押圧部６８は操作つまみ６７をロック位置ｂから着脱位置ａへとＹ矢示方向に回動操作したときに、ロック開始・解除位置ｄで凹入部５８の被押圧面７７から外れて遊技盤９のロックを解除するようになっている。
【００３３】
なお、この実施例では、球受け入れ口３４に近い左下の隅を原点位置として遊技盤９を装着しているため、遊技盤装着枠８の遊技盤９を左の縦枠部５４と下の横枠部５２とが交差する隅部に向かって押圧すべく、下側のロック手段６２は遊技盤９を左方向に、上側のロック手段６２は遊技盤９を左斜め下方に夫々押圧するようになっている。
【００３４】
遊技盤９の上下の凹入部５８には略Ｕ字状の固定部材６４が接着、ネジ止め等により装着されている。この固定部材６４は、凹入部５８の内周に対応する略Ｕ字状の周壁８０と、この周壁８０の前後両端から外側に屈曲する前縁８１及び後縁８２とを備え、その前縁８１と後縁８２とにより凹入部５８の外周で遊技盤９を前後両側から挟むように、凹入部５８の上下方向の開口端側から嵌合されている。周壁８０の内側が切り欠き部６３となっている。
【００３５】
この固定部材６４は操作つまみ６７の裏側近傍で回動軸６６側へと突出する左右一対の突出部８３をその前縁８１に有し、その各突出部８３の前面側には操作つまみ６７をロック位置ｂにしたときに、操作つまみ６７の裏面が前側から当接して遊技盤９を遊技盤装着枠８の後壁部５６へと押圧するための突部８４が夫々設けられている。
【００３６】
なお、固定部材６４の周壁８０には、遊技盤９の凹入部５８に形成された被押圧面７７が周壁８０から内側に露出するように、少なくとも被押圧面７７に対応する切り欠き部８５が形成されている。被押圧面７７は固定部材６４の周壁８０に形成してもよい。
【００３７】
各押し出し手段６５は操作つまみ６７による回動軸６６の回動操作により遊技盤９を押し出すカム機構８６を有し、このカム機構８６は固定部材６４の周壁８０から内側に突出する螺旋円弧状の押し出しカム部８９と、押圧部６８の先端側前面等の回動軸６６側の適当箇所に突出状に形成されたカム従動部９０とを備えている。なお、押圧部６８の前面部分をカム従動部９０としてもよい。またカム従動部９０は押圧部６８とは別に回動軸６６に設けてもよい。
【００３８】
押し出しカム部８９は着脱位置ａに対してロック開始・解除位置ｄと反対側において、着脱位置ａの近傍の押し出し開始位置ｅと、着脱位置ａから離れた押し出し位置ｃとに跨がって正面視円弧状に形成されると共に、押し出し開始位置ｅが前側となり、押し出し位置ｃが後側となるように側面視で徐々に前後方向に傾斜状に形成されている。
【００３９】
そして、カム機構８６は、操作つまみ６７をＹ矢示方向に操作したときに押し出し開始位置ｅでカム従動部９０が押し出しカム部８９の裏側に当接して、押し出し位置ｃへと摺動する間に押し出しカム部８９を介して遊技盤９を前側へと押し出すようになっている。なお、押し出しカム部８９の内周は、遊技盤９の押し出し時に操作つまみ６７と干渉しないように操作つまみ６７の先端よりも外側になっている。
【００４０】
枠側ジョイント部３８は、原点位置と反対位置にある下側のロック手段６２の上近傍において、後部ケース２４の下隅部に裏側から着脱自在に装着されている。この枠側ジョイント部３８は、後部ケース２４に固定されたジョイントケース９２と、このジョイントケース９２の前面側に各盤側コネクタ４８〜５１に対応して装着された枠側コネクタ９３〜９６とを備え、遊技盤９の着脱時に各盤側コネクタ４８〜５１が枠側コネクタ９３〜９６に着脱自在に接続可能である。
【００４１】
なお、枠側コネクタ９３〜９６は前枠３側の払い出し制御基板、電源基板、ガラス扉の前面側の装飾ランプ（図示省略）を制御する装飾制御基板等の所定の基板に接続されている。
【００４２】
上記構成のパチンコ機において、前枠３の遊技盤装着枠８に遊技盤９を装着する場合には、先ずガラス扉１２を開放し、次いで遊技盤装着枠８の下の横枠部５２上に遊技盤９を載せてその左端を縦枠部５４側の後壁部５７と係合突起６０との間に当接する。そして、係合突起６０との係合部分を支点として遊技盤９の右側を後方へと押圧して遊技盤９を遊技盤装着枠８内に押し込む。
【００４３】
このとき各ロック手段６２の操作つまみ６７を着脱位置ａに合わせて位置決め手段７３により位置決めしておけば、遊技盤装着枠８に遊技盤９を押し込むときに、操作つまみ６７が固定部材６４の周壁８０内を相対的に通過して遊技盤９の前面側へと突出する。
【００４４】
そして、遊技盤９の裏面が遊技盤装着枠８の後壁部５６，５７に当接した後、各ロック手段６２の操作つまみ６７を着脱位置ａからロック位置ｂ側へとＸ矢示方向に回動操作すると、操作つまみ６７をロック開始・解除位置ｄまで操作したときに押圧部６８が被押圧面７７に接触し、操作つまみ６７の回動に伴って押圧部６８が被押圧面７７を押圧して遊技盤９を遊技盤装着枠８の左下隅の原点位置側へと押し付ける。また操作つまみ６７がロック位置ｂまで回動すると、操作つまみ６７が固定部材６４の突部８４に前面側から当接して遊技盤９を遊技盤装着枠８の後壁部５６へと押し付ける。従って、各ロック手段６２の操作つまみ６７をロック位置ｂまで操作すれば、このロック手段６２により遊技盤９を遊技盤装着枠８内で固定することができる。
【００４５】
一方、左下隅の原点位置を基準に遊技盤９を遊技盤装着枠８内に挿入して行くときに、遊技盤９の各盤側ジョイント部３７の盤側コネクタ４８〜５１と前枠３側の枠側ジョイント部３８の枠側コネクタ９３〜９６とが前後に対応し、遊技盤９が遊技盤装着枠８の後壁部５６に当接するまでの間に盤側コネクタ４８〜５１と枠側コネクタ９３〜９６とが電気的に接続する。このため遊技盤９を装着した後に手作業によってコネクタ相互を接続する煩わしさを解消できる。なお、盤側コネクタ４８〜５１、枠側コネクタ９３〜９６は雄雌構造であればよい。
【００４６】
遊技盤９の交換、保守、点検等で遊技盤装着枠８から遊技盤９を取り外す場合には、先ずロック手段６２の操作つまみ６７をロック位置ｂから着脱位置ａ側へとＹ矢示方向に操作して、ロック手段６２による遊技盤９のロックを解除する。このとき操作つまみ６７をＹ矢示方向に操作すれば、操作つまみ６７が突部８４から外れる。また押圧部６８が回動軸６６と一体にＹ矢示方向に回動してロック開始・解除位置ｄを通過したときに被押圧面７７から外れる。これによってロック手段６２による遊技盤９のロックを解除することができる。
【００４７】
続いて遊技盤９を遊技盤装着枠８から前側に抜き取ればよい。しかし、遊技盤９は遊技盤装着枠８内に密に嵌合している上に、盤側ジョイント部３７が枠側ジョイント部３８に接続している。このため遊技盤９の右端縁等に指を掛けて遊技盤９を遊技盤装着枠８から前側へと取り出すことは困難である。しかし、各ロック手段６２の操作つまみ６７をＹ矢示方向に操作すれば、押し出し手段６５により遊技盤９の端部側を前側へと押し出すことができるので、遊技盤９を遊技盤装着枠８から容易に取り出すことができる。
【００４８】
即ち、操作つまみ６７を着脱位置ａから押し出し位置ｃへとＹ矢示方向に操作すると、押し出し開始位置ｅで押圧部６８の先端側のカム従動部９０が押し出しカム部８９の裏側に当接する。そして、操作つまみ６７の回動操作に伴ってカム従動部９０が押し出しカム部８９の裏面を押し出し位置ｃへと摺動するため、図９に二点鎖線で示すように押し出しカム部８９の傾斜角度に応じて遊技盤９が前側へとＺ方向に押し出されて行き、押し出し位置ｃに達したときに遊技盤９の右端側が遊技盤装着枠８から前側へと突出する。
【００４９】
このようにして上下のロック手段６２の操作つまみ６７を操作し、遊技盤９の右端側を遊技盤装着枠８から前側に押し出した後、その右端側に指を掛けて遊技盤９を抜き取れば、遊技盤９を遊技盤装着枠８から前側へ容易に取り外すことができる。
【００５０】
また上下のロック手段６２が遊技盤９に対して盤側ジョイント部３７、枠側ジョイント部３８と同じ側にあり、その操作つまみ６７を操作することにより押し出し手段６５を構成するカム機構８６により遊技盤９の右端側を前方へと押し出すため、遊技盤９が前側に移動するときに、盤側ジョイント部３７を枠側ジョイント部３８から容易に外すことができる。
【００５１】
しかもロック手段６２の操作により、押し出し手段６５を介して遊技盤９を前方へと押し出すため操作が容易である。またロック手段６２による遊技盤９のロックを解除した後に、押し出し手段６５が遊技盤９を押し出すため、遊技盤９を無理なく押し出すことができる。更に押し出し手段６５をカム機構８６により構成しているため、構造的にも簡単である。
【００５２】
図１０〜図１６は本発明の第２の実施例を例示する。この実施例の押し出し手段６５は図１０〜図１５に示すように、回動軸６６に形成された押し出しカム部８９と、固定部材６４側から突出する突起状のカム従動部９０とを有するカム機構８６により構成されている。回動軸６６は円筒部１００を有し、その円筒部１００の外周に押圧部６８の他に切り欠き部１０１が設けられている。
【００５３】
回動軸６６は操作つまみ６７が着脱位置ａとその両側のロック位置ｂと押し出し位置ｃとに対応するように前後方向の軸心廻りに回動自在であり、外力が解除されたときに操作つまみ６７を着脱位置ａに戻すための捩じりコイルバネ等の戻しバネ１０２が設けられ、その着脱位置ａで位置決め手段７３により位置決め可能になっている。なお、戻しバネ１０２により戻し手段が構成されている。
【００５４】
戻しバネ１０２は支持部６９の外周に套嵌されており、その一端が支持部６９に、他端が保持部７０に夫々係止され、回動軸６６を着脱位置ａ側へと付勢している。位置決め手段７３は支持部６９の外周面に周方向に形成された溝１０３と、保持部７０の凹部１０４内に挿入され且つ溝１０３内に突出する位置決め片１０５と、この位置決め片１０５を溝１０３側に付勢するバネ１０６とを備えている。溝１０３はロック位置ｂと押し出し位置ｃとに跨がって支持部６９の外周面に周方向に形成されると共に、操作つまみ６７の着脱位置ａに対応して、位置決め片１０５が入る位置決め凹部１０７が設けられており、操作つまみ６７の着脱位置ａで位置決め片１０５が位置決め凹部１０７に入って位置決めする。
【００５５】
切り欠き部１０１は図１３、図１４に示す如く遊技盤９の着脱時にカム従動部９０と干渉しないように前側に開放状であって、操作つまみ６７が着脱位置ａのときにカム従動部９０が切り欠き部１０１に対して出入り可能である。この切り欠き部１０１の最奥部には、操作つまみ６７を着脱位置ａからロック位置ｂへと回動させたときにカム従動部９０の相対回動を起用する逃げ部１０８が形成され、また操作つまみ６７を着脱位置ａから押し出し位置ｃへと回動させたときにカム従動部９０を介して遊技盤９を前側へと押し出す押し出しカム部８９が傾斜状に形成されている。
【００５６】
なお、押し出しカム部８９は回動軸６６の外周に凹入状に形成されているが、回動軸６６の外周に突出状に形成してもよい。また回動軸６６の切り欠き部１０１は、図１６に示すように逃げ部１０８の前側を切除したものでもよい。
【００５７】
固定部材６４には突部８４を有する突出部８３の他に、周壁８０の後端側の内周に支持壁１０９が突出形成され、この支持壁１０９の内周側にカム従動部９０が形成されている。なお、ロック手段６２、その他の構成は第１の実施例と略同様である。
【００５８】
通常、操作つまみ６７は着脱位置ａにあり、この状態で遊技盤９を遊技盤装着枠８に嵌め込む。そして、遊技盤９を遊技盤装着枠８内で固定するときには、ロック手段６２の操作つまみ６７をロック位置ｂへとＸ矢示方向に操作して、第１の実施例と同様に遊技盤９をロックする。遊技盤９を遊技盤装着枠８に嵌め込んだ状態では、図１４に実線で示すように、カム従動部９０は回動軸６６の切り欠き部１０１の最奥部に位置し、操作つまみ６７をＸ矢示方向に操作したときに、その切り欠き部１０１の逃げ部１０８内へと相対的に移動するが、回動軸６６に対しては作用しない。
【００５９】
遊技盤９を取り外すときには、操作つまみ６７を着脱位置ａから押し出し位置ｃへとＹ矢示方向に回動操作する。するとカム従動部９０に対して回動軸６６が図１４のＹ矢示方向に回動するため、その押し出しカム部８９の傾斜面に沿ってカム従動部９０が相対的にＷ矢示方向に摺動し、カム従動部９０を介して遊技盤９を前方へと押し出す。
【００６０】
そして、操作つまみ６７が押し出し位置ｃに達したときに、遊技盤９の右端側が遊技盤装着枠８から前側へと突出する。このとき操作つまみ６７は固定部材６４の周壁８０内に入って支持壁１０９の前側に近接するが、操作つまみ６７と固定部材６４とが干渉することはない。
【００６１】
その後、操作つまみ６７をＸ矢示方向に軽く操作するか、又は遊技盤９の右端側に指を掛ける等して遊技盤９を若干動かせば、押し出しカム部８９からカム従動部９０に掛かっていた外力が解除されるため、操作つまみ６７、回動軸６６が戻しバネ１０２により着脱位置ａへと戻されて位置決め手段７３により位置決めされる。そして、操作つまみ６７が着脱位置ａに戻った後、遊技盤９を遊技盤装着枠８から前側へと取り出せばよい。
【００６２】
この実施例のように戻しバネ１０２、その他の戻し手段により、ロック手段６２の回動軸６６、操作つまみ６７が着脱位置ａに自動的に復帰するようにしてもよい。
【００６３】
図１７は本発明の第３の実施例を例示する。この実施例では、突出部８３の内周の後端側にカム従動部９０が設けられており、押し出し位置ｃの操作つまみ６７とカム従動部９０とが回動軸６６の周方向に重ならないようになっている。他の構成は第２の実施例と同様である。
【００６４】
このようにすれば、遊技盤９を取り出す際に、押し出し位置ｃの操作つまみ６７とカム従動部９０とが干渉しないので、操作つまみ６７を押し出し位置ｃまで操作した後、直ちに遊技盤９を前側に取り出すことができる。なお、操作つまみ６７は戻しバネ１０２により着脱位置ａに戻る。なお、戻しバネ１０２を省略して、操作つまみ６７を着脱位置ａに操作して戻すようにしてもよい。
【００６５】
図１８〜図２２は本発明の第４の実施例を例示する。この実施例では、図１８〜図２１に示すように、回動軸６６の円筒部１００の外周に形成された進入溝１１１、退避溝１１２、押し出し溝１１３と、固定部材６４側に設けられ且つ各溝１１１〜１１３内を相対移動可能な可動突起式のカム従動部９０とを備え、操作つまみ６７が着脱・押し出し位置ｆにあるときに遊技盤９が着脱可能であり、また操作つまみ６７をロック位置ｂから着脱・押し出し位置ｆへと回動操作したときに、遊技盤９のロックを解除した後、押し出し手段６５により遊技盤９を前方へと押し出すようになっている。
【００６６】
円筒部１００の外周には、図２１に示すように出入り口１１０から後方に延びる進入溝１１１と、この進入溝１１１の後端側から斜め後方に傾斜しながら周方向に延びる退避溝１１２と、退避溝１１２の先端から出入り口１１０へと延びる押し出し溝１１３とが略三角形状に形成されている。
【００６７】
退避溝１１２にはその前縁８１側にカム従動部９０を後側に退避させるための退避カム部１１４が、押し出し溝１１３にはその後縁８２側にカム従動部９０を介して遊技盤９を押し出すための押し出しカム部８９が夫々設けられており、操作つまみ６７を着脱・押し出し位置ｆからロック位置ｂへとＸ矢示方向に回動操作したときに退避カム部１１４がカム従動部９０を後側に退避させるように案内し、逆に操作つまみ６７をロック位置ｂから着脱・押し出し位置ｆへとＹ矢示方向に回動操作したときに、押し出しカム部８９がカム従動部９０を遊技盤９の押し出し方向に案内するようになっている。
【００６８】
なお、回動軸６６の外周側は、図２２に示すように三角形状の突部１１５を形成し、この突部１１５に退避カム部１１４と押し出しカム部８９とを設けてもよい。
【００６９】
カム従動部９０は基部側に摺動部１１６を有し、その摺動部１１６が突出部８３の外側に形成された摺動案内部１１７に前後方向に摺動自在に嵌合され、また周壁８０の突出部８３に形成された案内溝１１８から回動軸６６側に突出している。そして、このカム従動部９０は摺動部１１６とバネ受け１１９との間に介在されたバネ１２０により前側に付勢されている。なお、カム従動部９０は周壁８０の後端側に配置されている。他の構成は各実施例と略同様である。
【００７０】
遊技盤９を遊技盤装着枠８に嵌め込むときには、操作つまみ６７を着脱・押し出し位置ｆにする。このときには回動軸６６の出入り口１１０がカム従動部９０に対応するので、遊技盤９を前側から遊技盤装着枠８に嵌め込んで行くと、カム従動部９０が出入り口１１０から進入溝１１１内に進入し、その後端部に位置する。
【００７１】
遊技盤９をロック手段６２により遊技盤装着枠８内で固定する場合には、操作つまみ６７をロック位置ｂへとＸ矢示方向に回動操作すると、カム従動部９０はバネ１２０に抗して退避カム部１１４により後方に押されながら退避溝１１２内を通過する。そして、退避カム部１１４を通過すると、カム従動部９０はバネ１２０により前側に戻されて案内溝１１８の前端に係合する。
【００７２】
一方、操作つまみ６７がロック開始・解除位置ｄまで回動すると、押圧部６８が被押圧面７７に接触して遊技盤９を押圧し、またロック位置ｂまで回動すると、操作つまみ６７が突部８４を介して遊技盤９を後方へと押圧するため、ロック手段６２により遊技盤９を固定することができる。
【００７３】
遊技盤９を取り出す場合には、操作つまみ６７をロック位置ｂから着脱・押し出し位置ｆへとＹ矢示方向に回動操作する。すると操作つまみ６７がロック開始・解除位置ｄまで回動したときに押圧部６８が被押圧面７７から外れて、ロック手段６２による遊技盤９のロックが完全に解除される。
【００７４】
その後、操作つまみ６７が押し出し開始位置ｅまで回動すると、カム従動部９０が押し出し溝１１３の押し出しカム部８９に沿って摺動しながら押し出し溝１１３を通過するので、押し出しカム部８９によりカム従動部９０を介して遊技盤装着枠８内の遊技盤９が前側へと押し出される。そして、操作つまみ６７が着脱・押し出し位置ｆに達すると、カム従動部９０が出入り口１１０に対応するので、その状態で遊技盤９を遊技盤装着枠８から前側に取り出せばよい。
【００７５】
この場合には操作つまみ６７をロック位置ｂから着脱・押し出し位置ｆへと回動軸６６廻りに回動操作するだけで、ロック手段６２による遊技盤９のロックを解除した後、押し出し手段６５により遊技盤９を前側へと押し出すことができる。
【００７６】
以上、本発明の各実施例について詳述したが、本発明はこれらの実施例に限定されるものではなく、本発明の趣旨を逸脱しない範囲で種々の変更が可能である。実施例では操作つまみ６７を前後方向の回動軸６６廻りに操作して遊技盤９をロックするロック手段６２を採用し、このロック手段６２の操作つまみ６７の操作に連動して押し出し手段６５が遊技盤９を前側に押し出すようにしているが、押し出し手段６５はロック手段６２の操作により、遊技盤９を押し出すものであればよい。例えば、ロック手段６２が遊技盤９の前面と略平行な支軸廻りに回動する操作レバーを操作して遊技盤９をロックするようなものであれば、押し出し手段６５はその操作レバーの解除方向への操作に連動して遊技盤９を押し出すようにしてもよい。
【００７７】
また実施例のようにロック手段６２の一部を利用して押し出し手段６５を構成する場合に、上下一対のロック手段６２の内、上又は下に押し出し手段６５を設ける等、何れか一方のロック手段６２に設けてもよいし、ジョイント部３７，３８に近い下のロック手段６２に設けてもよい。
【００７８】
実施例では遊技盤装着枠８を前開放形として遊技盤９を前側から着脱するものを例示しているが、遊技盤装着枠８を後開放形として遊技盤９を後側から着脱するものでもよい。その場合には、押し出し手段６５は遊技盤９を後側に押し出すように構成すればよい。盤側ジョイント部３７、枠側ジョイント部３８は省略してもよい。固定部材６４は省略して、遊技盤９に直接切り欠き部６３を形成してもよい。その場合、押し出し手段６５の押し出しカム部８９、カム従動部９０等は遊技盤９側に直接設けてもよい。
【００７９】
押し出し手段６５にカム機構８６を採用する場合、そのカム機構８６は回動軸６６の回動により遊技盤９を開放側へと押し出す構造であれば十分であり、押し出しカム部８９等の具体的な構造は適宜変更可能である。押し出し手段６５は回動軸６６の回動に連動して、遊技盤９の押し出し方向と反対側の面を押し出し方向へと押圧して押し出すようにしてもよい。また押し出し手段６５に倍力機構を組み込んでもよい。
【図面の簡単な説明】
【００８０】
【図１】本発明の第１の実施例を示すパチンコ機の全体斜視図である。
【図２】同ガラス扉及び前面開閉板を取り外した状態での正面図である。
【図３】同前枠の斜視図である。
【図４】同前枠の斜視図である。
【図５】同要部の平面断面図である。
【図６】同遊技盤の背面図である。
【図７】同ロック手段、押し出し手段の要部の正面図である。
【図８】同ロック手段、押し出し手段の要部の平面断面図である。
【図９】同カム機構の展開図である。
【図１０】本発明の第２の実施例を示すロック手段、押し出し手段の要部の正面図である。
【図１１】同ロック手段、押し出し手段の要部の平面断面図である。
【図１２】同遊技盤の切り欠き部側の斜視図である。
【図１３】同操作つまみ、回動軸側の斜視図である。
【図１４】同カム機構の展開図である。
【図１５】同位置決め手段の展開断面図である。
【図１６】同操作つまみ、回動軸側の斜視図である。
【図１７】本発明の第３の実施例を示すロック手段、押し出し手段の要部の正面図である。
【図１８】本発明の第４の実施例を示すロック手段、押し出し手段の要部の正面図である。
【図１９】同ロック手段、押し出し手段の要部の平面断面図である。
【図２０】同遊技盤の切り欠き部側の斜視図である。
【図２１】同回動軸の展開図である。
【図２２】同操作つまみ、回動軸側の斜視図である。
【符号の説明】
【００８１】
８  遊技盤装着枠
９  遊技盤９
６２  ロック手段
６３  切り欠き部
６５  押し出し手段
６６  回動軸
６７  操作つまみ
８６  カム機構
１０２  戻し手段
【図１】
0004797029.tif 000002
【図２】
0004797029.tif 000003
【図３】
0004797029.tif 000004
【図４】
0004797029.tif 000005
【図５】
0004797029.tif 000006
【図６】
0004797029.tif 000007
【図７】
0004797029.tif 000008
【図８】
0004797029.tif 000009
【図９】
0004797029.tif 000010
【図１０】
0004797029.tif 000011
【図１１】
0004797029.tif 000012
【図１２】
0004797029.tif 000013
【図１３】
0004797029.tif 000014
【図１４】
0004797029.tif 000015
【図１５】
0004797029.tif 000016
【図１６】
0004797029.tif 000017
【図１７】
0004797029.tif 000018
【図１８】
0004797029.tif 000019
【図１９】
0004797029.tif 000020
【図２０】
0004797029.tif 000021
【図２１】
0004797029.tif 000022
【図２２】
0004797029.tif 000023